(57)【要約】【課題】多重搬送波システムにおける制御信号転送方法を提供する。【解決手段】多重搬送波システムと通信する端末がシグナリングメッセージを転送する方法は、複数の副搬送波を用いてデータを送受信する移動通信システムの移動端末において、前記移動端末で転送するシグナリングメッセージが発生する場合、前記移動端末を区分する端末識別子によってプリアンブル（ｐｒｅａｍｂｌｅ）シーケンスを生成する段階と、前記プリアンブルシーケンス及び前記シグナリングメッセージが含まれたプリアンブル信号を基地局に転送する段階と、前記プリアンブル信号に対する、前記端末識別子によって生成された確認信号（ＡＣＫ）を受信する段階と、を含む構成とした。【選択図】図３Ａ
2009526431.tif 000002
【特許請求の範囲】
【請求項１】
複数の副搬送波を用いてデータを送受信する移動通信システムの移動端末において、
前記移動端末で転送するシグナリングメッセージが発生する場合、前記移動端末を区分する端末識別子によってプリアンブル（ｐｒｅａｍｂｌｅ）シーケンスを生成する段階と、
前記プリアンブルシーケンス及び前記シグナリングメッセージが含まれたプリアンブル信号を基地局に転送する段階と、
前記プリアンブル信号に対する、前記端末識別子によって生成された確認信号（ＡＣＫ）を受信する段階と、
を含む、多重副搬送波システムにおけるシグナリングメッセージ送受信方法。
【請求項２】
前記確認信号の端末識別子に対する探知結果によって、前記プリアンブル信号を再転送するか否かを決定する段階をさらに含む、請求項１に記載の多重副搬送波システムにおけるシグナリングメッセージ送受信方法。
【請求項３】
前記シグナリングメッセージは、前記移動端末で転送するデータが発生する場合、前記転送するデータのための資源割当を要請する要請メッセージを含む、請求項１に記載の多重副搬送波システムにおけるシグナリングメッセージ送受信方法。
【請求項４】
前記要請メッセージは、前記移動端末のバッファ状態に関する情報、前記移動端末の最大転送電力と現在転送電力との関係に関する情報、及び前記転送するデータの種類（ｔｙｐｅ）に関する情報のうち少なくとも一つを含む、請求項３に記載の多重副搬送波システムにおけるシグナリングメッセージ送受信方法。
【請求項５】
前記確認信号（ＡＣＫ）は、前記要請メッセージによって割り当てられた資源割当情報を含む、請求項３に記載の多重副搬送波システムにおけるシグナリングメッセージ送受信方法。
【請求項６】
前記資源割当情報によって前記転送するデータを転送する段階をさらに含む、請求項５に記載の多重副搬送波システムにおけるシグナリングメッセージ送受信方法。
【請求項７】
複数の副搬送波を用いてデータを送受信する移動通信システムの移動端末において、
前記移動端末で転送するシグナリングメッセージが発生する場合、前記移動端末を区分する端末識別子によってプリアンブルシーケンスを生成する段階と、
前記プリアンブルシーケンスが含まれたプリアンブル信号を基地局に転送する段階と、
前記プリアンブル信号に対する、  前記端末識別子によって生成された確認信号（ＡＣＫ）を受信する段階と、
前記確認信号の端末識別子に対する探知結果によって前記シグナリングメッセージを転送する段階と、
を含む、多重副搬送波システムにおけるシグナリングメッセージ送受信方法。
【請求項８】
前記シグナリングメッセージは、前記移動端末で転送するデータが生成される場合に発生し、
前記確認信号は、前記シグナリングメッセージの転送のための資源割当情報を含む、請求項７に記載の多重副搬送波システムにおけるシグナリングメッセージ送受信方法。
【請求項９】
前記シグナリングメッセージを転送する段階は、前記資源割当情報によって前記シグナリングメッセージを転送する段階である、請求項８に記載の多重副搬送波システムにおけるシグナリングメッセージ送受信方法。
【請求項１０】
前記シグナリングメッセージは、前記移動端末で転送するデータが発生する場合、前記転送するデータのための資源割当を要請する要請メッセージを含む、請求項７に記載の多重副搬送波システムにおけるシグナリングメッセージ送受信方法。
【請求項１１】
前記要請メッセージは、前記移動端末のバッファ状態に関する情報、前記移動端末の最大転送電力と現在転送電力との関係に関する情報、及び前記転送するデータの種類（ｔｙｐｅ）に関する情報のうち少なくとも一つを含む、請求項１０に記載の多重副搬送波システムにおけるシグナリングメッセージ送受信方法。
【請求項１２】
前記要請メッセージによって割り当てられた資源割当情報を受信する段階をさらに含む、請求項１０に記載の多重副搬送波システムにおけるシグナリングメッセージ送受信方法。
【請求項１３】
前記資源割当情報によって前記転送するデータを転送する段階をさらに含む、請求項１２に記載の多重副搬送波システムにおけるシグナリングメッセージ送受信方法。
【請求項１４】
複数の副搬送波を用いてデータを送受信する移動通信システムの移動端末において、
前記移動端末が転送すべきシグナリングメッセージがあるか否かに関する情報を特定の第１物理チャンネルを通じて基地局に転送する段階と、
前記シグナリングメッセージの転送のための資源割当情報が含まれた応答メッセージを受信する段階と、
前記資源割当情報によって前記シグナリングメッセージを転送する段階と、
を含む、多重副搬送波システムにおけるシグナリングメッセージ送受信方法。
【請求項１５】
前記第１物理チャンネルは、前記移動端末にトラフィックが発生しない場合にも維持される物理チャンネルである、請求項１４に記載の多重副搬送波システムにおけるシグナリングメッセージ送受信方法。
【請求項１６】
前記シグナリングメッセージが存在するか否かは、既に設定された大きさのビットに含まれる情報によって決定される、請求項１４に記載の多重副搬送波システムにおけるシグナリングメッセージ送受信方法。
【請求項１７】
前記既に設定されたビットの大きさは、１ビットである、請求項１６に記載の多重副搬送波システムにおけるシグナリングメッセージ送受信方法。
【請求項１８】
前記第１物理チャンネルを通じて転送される信号の極性が一定である場合、
前記シグナリングメッセージが存在するか否かは、前記第１物理チャンネルを通じて転送される信号の極性によって決定される、請求項１４に記載の多重副搬送波システムにおけるシグナリングメッセージ送受信方法。
【請求項１９】
前記シグナリングメッセージは、前記移動端末で転送するデータが発生する場合、前記転送するデータのための資源割当を要請する要請メッセージを含む、請求項１４に記載の多重副搬送波システムにおけるシグナリングメッセージ送受信方法。
【請求項２０】
少なくとも一つの移動端末と複数の副搬送波を用いてデータを送受信する移動通信システムにおいて、
前記移動端末を区分する端末識別子によって生成されたプリアンブルシーケンス及びシグナリングメッセージが含まれたプリアンブル信号を受信する段階と、
前記受信されたプリアンブル信号の端末識別子を獲得する段階と、
前記獲得した端末識別子によって、前記シグナリングメッセージに対する応答情報を含む確認信号を生成する段階と、
前記確認信号を前記移動端末に転送する段階と、
を含む、多重副搬送波システムにおけるシグナリングメッセージ送受信方法。
【請求項２１】
少なくとも一つの移動端末と複数の副搬送波を用いてデータを送受信する移動通信システムにおいて、
前記移動端末を区分する端末識別子によって生成されたプリアンブルシーケンスが含まれたプリアンブル信号を受信する段階と、
前記受信されたプリアンブル信号の端末識別子を獲得する段階と、
前記獲得した端末識別子によって、前記移動端末が転送するシグナリングメッセージに対する制御情報を含む確認信号を生成する段階と、
前記確認信号を前記移動端末に転送する段階と、
を含む、多重副搬送波システムにおけるシグナリングメッセージ送受信方法。
【請求項２２】
少なくとも一つの移動端末と複数の副搬送波を用いてデータを送受信する移動通信システムにおいて、
前記移動端末が転送すべきシグナリングメッセージが存在するか否かに関する情報を特定の第１物理チャンネルを通じて受信する段階と、
前記シグナリングメッセージの転送のための資源割当情報が含まれた応答メッセージを前記移動端末に送信する段階と、
前記資源割当情報によって転送される前記シグナリングメッセージを受信する段階と、
を含む、多重副搬送波システムにおけるシグナリングメッセージ送受信方法。
【発明の詳細な説明】
【技術分野】
【０００１】
本発明は、多重搬送波システムにおける制御信号転送方法に係り、より詳細には、多重搬送波システムと通信する端末がシグナリングメッセージを転送する方法に関する。本発明は、ＯＦＤＭ、ＤＦＴ−Ｓ−ＯＦＤＭ、ＯＦＤＭＡ通信方式に用いられたり、複数の副搬送波によりデータを転送するが、上記複数の副搬送波間には直交性が維持される通信方式に用いられることができる。
【背景技術】
【０００２】
以下、上記の多重搬送波システムの通信方法の一例として、ＯＦＤＭ方式とＤＦＴ−Ｓ−ＯＦＤＭ（ＤＦＴ  Ｓｐｒｅａｄｉｎｇ  ＯＦＤＭ）方式及びＯＦＤＭＡ方式について説明する。
【０００３】
まず、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）について説明する。ＯＦＤＭの基本原理は、高速転送率（ｈｉｇｈ−ｒａｔｅ）を持つデータ列（ｄａｔａ  ｓｔｒｅａｍ）を低い転送率（ｓｌｏｗ−ｒａｔｅ）を持つ多数のデータ列に分け、これらを複数の搬送波を用いて同時に転送することである。前記複数の搬送波のそれぞれを副搬送波（ｓｕｂｃａｒｒｉｅｒ）という。このＯＦＤＭの複数の搬送波間に直交性（ｏｒｔｈｏｇｏｎａｌｉｔｙ）が存在するので、搬送波の周波数成分は互いに重なり合っても受信端で検出可能である。高速転送率を持つデータ列は、直／並列変換部（Ｓｅｒｉａｌ  ｔｏ  Ｐａｒａｌｌｅｌ  ｃｏｎｖｅｒｔｅｒ）を通じて複数の低い転送率のデータ列（ｄａｔａ  ｓｔｒｅａｍ）に変換され、前記並列に変換された複数のデータ列にそれぞれの副搬送波が乗算された後、それぞれのデータ列が足し合わされて受信端に転送される。
【０００４】
直／並列変換部により生成された複数の並列データストリームは、ＩＤＦＴ（Ｉｎｖｅｒｓｅ  Ｄｉｓｃｒｅｔｅ  Ｆｏｕｒｉｅｒ  Ｔｒａｎｓｆｏｒｍ）によって複数の副搬送波として転送されることができ、前記ＩＤＦＴは逆高速フーリエ変換（ＩＦＦＴ；Ｉｎｖｅｒｓｅ  Ｆａｓｔ  Ｆｏｕｒｉｅｒ  Ｔｒａｎｓｆｏｒｍ）を用いて效率的に具現されることができる。
【０００５】
低い転送率を持つ副搬送波のシンボル区間（ｓｙｍｂｏｌ  ｄｕｒａｔｉｏｎ）は増加することとなるので、多重経路遅延拡散により発生する時間上における相対的な信号分散（ｄｉｓｐｅｒｓｉｏｎ）が減少する。ＯＦＤＭシンボル間にチャンネルの遅延拡散よりも長い保護区間（ｇｕａｒｄ  ｉｎｔｅｒｖａｌ）を挿入し、シンボル間干渉（Ｉｎｔｅｒ−Ｓｙｍｂｏｌ  Ｉｎｔｅｒｆｅｒｅｎｃｅ）を減らすことができる。
【０００６】
また、保護区間にＯＦＤＭ信号の一部を複写してシンボルの開始部分に配置すると、ＯＦＤＭシンボルは循環的に拡張（ｃｙｃｌｉｃａｌｌｙ  ｅｘｔｅｎｄｅｄ）され、シンボルを保護することができる。
【０００７】
次に、従来ＤＦＴ−Ｓ−ＯＦＤＭ方式について説明する。該ＤＦＴ−Ｓ−ＯＦＤＭ方式は、ＳＣ−ＦＤＭＡ（Ｓｉｎｇｌｅ  Ｃａｒｒｉｅｒ−ＦＤＭＡ）とも呼ばれる。従来のＳＣ−ＦＤＭＡ技法は、アップリンクに主に適用される技法で、ＯＦＤＭ信号を生成する前に周波数領域にまずＤＦＴ行列で分散（ｓｐｒｅａｄｉｎｇ）を適用した後、その結果を従来のＯＦＤＭ方式で変調して転送する技法である。図１は、ＤＦＴ−Ｓ−ＯＦＤＭ方式の送信機の構造を示す図である。従来装置の動作を説明するためにいくつかの変数を定義する。Ｎは、ＯＦＤＭ信号を転送する副搬送波の個数を表し、Ｎｂは、任意の使用者のための副搬送波の個数を表し、Ｆは離散フーリエ変換行列、すなわちＤＦＴ行列を表し、ｓは、データシンボルベクトルを表し、ｘは、周波数領域でデータが分散されたベクトルを表し、ｙは、時間領域で転送されるＯＦＤＭシンボルベクトルを表す。
【０００８】
ＳＣ−ＦＤＭＡではデータシンボル（ｓ）を転送する前にＤＦＴ行列を用いて分散させる。これは、下記の数学式で表現される。
【０００９】
【数１−１】
2009526431.tif 000003
前記数学式１で、
【００１０】
【数１−２】
2009526431.tif 000004
は、データシンボル（ｓ）を分散させるために使われたＮｂ大きさのＤＦＴ行列である。このように分散されたベクトル（ｘ）に対して一定の副搬送波割当技法によって副搬送波マッピング（ｓｕｂｃａｒｒｉｅｒ  ｍａｐｐｉｎｇ）が行われ、ＩＤＦＴモジュールにより時間領域に変換され、受信側に転送しようとする信号が得られる。前記受信側に転送される転送信号は、下の数学式で示される。
【００１１】
【数２−１】
2009526431.tif 000005
上記の数学式２で、
【００１２】
【数２−２】
2009526431.tif 000006
は、周波数領域の信号を時間領域の信号に変換するために用いられる大きさＮのＤＦＴ行列である。上述した方法によって生成された信号ｙは、循環前置（ｃｙｃｌｉｃ  ｐｒｅｆｉｘ）が挿入されて転送される。上述した方法によって転送信号を生成して受信側に転送する方法をＳＣ−ＦＤＭＡ方法という。ＤＦＴ行列の大きさは、特定の目的のために様々に制御されることができる。例えば、ＤＦＴ行列の大きさがＩＤＦＴのポイント数と同じ場合、送信端でのＰＡＰＲを減少させることができる。
【００１３】
続いて、従来技術によるＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）について説明する。ＯＦＤＭＡとは、直交する複数の副搬送波を用いる変調方式のシステムにおいて利用可能な副搬送波（ｓｕｂｃａｒｒｉｅｒ）の一部を各使用者に提供し、多重接続を実現する多重接続方法のことをいう。ＯＦＤＭＡは、副搬送波という周波数資源を各使用者に提供し、それぞれの周波数資源は複数の使用者に互いに独立して提供され、互いに重ならないことが一般的である。
【００１４】
また、現在議論中のＬＴＥ（Ｌｏｎｇ  Ｔｅｒｍ  Ｅｖｏｌｕｔｉｏｎ）システムにおける制御信号転送方法について説明する。
【００１５】
既存のＣＤＭＡ通信システムのアップリンクとは違い、ＬＴＥシステムのアップリンクは、直交性を持つ複数の副搬送波を使った接続方式を用いる。
【００１６】
一般的に、既存の回線（ｃｉｒｃｕｉｔ）形態のサービスを支援するシステムの場合、端末（ＵＥ）はＬＴＥシステムに転送するデータが存在する場合、Ｎｏｄｅ  Ｂに呼設定を要求する。前記Ｎｏｄｅ  Ｂにより呼設定がなされると、前記端末はデータを持続して転送する。このようなシステムでは、転送するデータが存在しなくても呼を維持し続くこととなり、このような状態が一定時間以上持続されてから呼を切る。このような理由から、パケット形態のデータが主に用いられるサービスの場合、システムの効率性は非常に低下する。
【００１７】
したがって、パケットデータのサービスを主に提供するシステムの場合、全ての端末が共有する共有チャンネル（ｓｈａｒｅｄ  ｃｈａｎｎｅｌ）を用いてサービスをすることによってシステムの効率性を高めることとなる。すなわち、共有チャンネルを通じてパケットを転送する直交周波数分割接続方式の転送システムにおいて、アップリンクを通じて転送されるデータチャンネルの間に直交性が維持されなければならず、これにより、当該システムの転送効率が増加する。
【００１８】
次に、共有チャンネルを通じてデータを転送する方法について説明する。
【００１９】
一般的なスケジュール転送モード（ｓｃｈｅｄｕｌｅｄ  ｔｒａｎｓｍｉｓｓｉｏｎ  ｍｏｄｅ）を説明すると、下記の通りである。
【００２０】
まず、Ｎｏｄｅ  Ｂでスケジューリング（ｓｃｈｅｄｕｌｉｎｇ）を行い、その結果に基づいてデータを転送するＵＥを指定する。また、前記スケジューリング結果に基づいて、前記ＵＥが使用する周波数領域と時間領域における資源を排他的に指定して知らせ、複数のＵＥ間のデータの転送時に衝突を未然に防止することができる。言い換えると、Ｎｏｄｅ  Ｂが管理しているアップリンクの資源は、複数のＵＥによって共有（ｓｈａｒｅｄ）されるが、当該アップリンク共有チャンネルの使用権を前記Ｎｏｄｅ  Ｂの監督の下に前記複数のＵＥに分けて割り当てるスケジューリングを行い、前記ＵＥが前記Ｎｏｄｅ  Ｂに送るデータを転送する。このような転送モードをスケジュール転送（ｓｃｈｅｄｕｌｅｄ  ｔｒａｎｓｍｉｓｓｉｏｎ）モードと定義する。このスケジュール転送モードの他の特徴は、アップリンクを通じてデータを転送するＵＥ間の同期を維持する技法を用いなければならないという点である。すなわち、アップリンクを通じて複数のＵＥから転送される信号間に直交性を維持するためには、複数のＵＥから転送された受信信号が、ＯＦＤＭの循環前置（ｃｙｃｌｉｃ  ｐｒｅｆｉｘ）以内の誤差で、Ｎｏｄｅ  Ｂで同一時間に受信されなければならない。このため、前記Ｎｏｄｅ  Ｂは、各ＵＥの受信信号に関する時間情報を計算し、各ＵＥの転送時点を遅らせたり早めたりするように調節する方式を使用しなければならない。
【００２１】
次に、競争基盤転送モード（ｃｏｎｔｅｎｔｉｏｎ  ｂａｓｅｄ  ｔｒａｎｓｍｉｓｓｉｏｎ  ｍｏｄｅ）について説明する。
【００２２】
この転送モードは、Ｎｏｄｅ  Ｂがあらかじめスケジューリングを行って転送するＵＥを指定できない場合、または、スケジューリングによる時間遅延を最小限に抑えるべく、基地局の許可無しでＵＥが任意に転送をしなければならない場合に用いられることが好ましい。
【００２３】
この競争基盤転送モードと上記スケジュール転送モードは、時間あるいは周波数領域で明確に区分付けられなければならない。図２は、競争基盤転送モードとスケジュール転送モードを区分する方法を示す図である。図２Ａは、時間領域における区分を示し、図２Ｂは周波数領域における区分を示す。図２Ｃは、時間領域における区分と周波数領域における区分を組み合わせる区分方法を示す。結論的に、特定時間領域、特定周波数領域またはこれら両者の組合せによってスケジュール転送モードと競争基盤転送モードで転送される資源が定められることとなる。競争基盤転送モードが適用される特定の周波数−時間領域に対して、複数のＵＥは自分が転送したいデータを自由に転送することができる。しかし、当該周波数−時間領域内ではＮｏｄｅ  Ｂの資源スケジューリングが行われず、同じ資源を複数のＵＥが同時に使用する場合が発生することができる。同じ資源を複数のＵＥが同時に使用すると、Ｎｏｄｅ  Ｂはそれら複数のＵＥから受信する情報をすべて復旧する上で問題が生じる。この場合、Ｎｏｄｅ  Ｂは、受信電力の最も大きい信号に相応するＵＥから転送される情報のみを復旧できる。また、Ｎｏｄｅ  Ｂは自分が検出したメッセージを転送したＵＥに特定の形態の確認（Ａｃｋｎｏｗｌｅｄｇｅｍｅｎｔ：ＡＣＫ）信号を転送することになる。この時、ＡＣＫを受信できなかったＵＥは、特定時間経った後、競争基盤転送が行われる周波数−時間領域を通じて再びメッセージ転送を試みる。すなわち、Ｎｏｄｅ  Ｂに信号を送り、ＡＣＫを待ち、ＡＣＫを受信できなかった場合に再転送を試みる手順が、競争基盤転送の基本動作である。
【００２４】
この競争基盤転送の代表例がＲＡＣＨ（Ｒａｎｄｏｍ  Ａｃｃｅｓｓ  Ｃｈａｎｎｅｌ）を用いたデータ転送である。このＲＡＣＨを通じた転送方式は、次の通りである。端末（ＵＥ）は、Ｎｏｄｅ  Ｂから転送されるダウンリンクのタイミング（ｔｉｍｉｎｇ）情報を獲得し、また、ダウンリンクを通じて転送されるシステム情報（ｓｙｓｔｅｍ  ｉｎｆｏｒｍａｔｉｏｎ）を受信した状態であり、このシステム情報は放送（ｂｒｏａｄｃａｓｔｉｎｇ）されるのが一般的である。この放送される信号を通じて端末（ＵＥ）は、競争基盤転送が許容される時間区間と周波数領域に関する情報を獲得する。しかし、Ｎｏｄｅ  ＢはＵＥの存在を把握することができない。したがって、ＵＥは、プリアンブル（ｐｒｅａｍｂｌｅ）と呼ばれる特定のシーケンス（ｓｅｑｕｅｎｃｅ）に特定の符号（ｃｏｄｅ）を印加した後、このプリアンブルをＮｏｄｅ  Ｂに転送し、自分の存在をＮｏｄｅ  Ｂに知らせる。このＮｏｄｅ  Ｂはプリアンブルを検出し、該プリアンブルに印加された符号に割り当てられている特定符号を用いてＡＣＫ（ａｃｋｎｏｗｌｅｄｇｅｍｅｎｔ）を当該ＵＥに転送する。このような過程によってＲＡＣＨを通じたデータ転送が行われる。このプリアンブルは、特定の符号（ｃｏｄｅ）を含むプリアンブルシーケンス（ｐｒｅａｍｂｌｅ  ｓｅｑｕｅｎｃｅ）を除く他の情報（例えば、資源割当要求、ＵＥ  ＩＤ）を含んでも良い。また、ＲＡＣＨを通じてはプリアンブルと簡単な臨時端末識別子（ｔｅｍｐｏｒａｒｙ  ＵＥ  ＩＤ）などの情報のみを転送しても良い。
【００２５】
しかし、上述したＲＡＣＨを通じたプリアンブルの転送には、競争による危険だけでなく、データ衝突（ｃｏｌｌｉｓｉｏｎ）の危険も伴われる。次に、ＲＡＣＨを通じたデータ転送によるデータ衝突について説明する。もし、複数のＵＥが同一プリアンブル符号を用いて同一瞬間にＮｏｄｅ  Ｂへのアクセス（ａｃｃｅｓｓ）を試みた場合、衝突が生じることができる。Ｎｏｄｅ  Ｂは複数のＵＥのうちいずれか一つのＵＥから転送されたアクセス（ａｃｃｅｓｓ）試みのみを検出でき、このアクセス試みに対するＡＣＫを転送することができる。しかし、各ＵＥの立場では、前記ＡＣＫが自分に転送されたものと考えることができ、よって、データ衝突が発生するわけである。したがって、このような衝突を防止するためには、衝突探知（ｃｏｌｌｉｓｉｏｎ  ｄｅｔｅｃｔｉｏｎ）過程が物理階層または上位階層で行われなければならない。このような競争基盤転送モードでは基本的に複数のＵＥの間に受信同期ができたままで転送がおきる場合もあり、そうでない場合もありうる。すなわち、もし、競争基盤転送モードで転送する信号がＲＡＣＨを通じて転送される信号である場合には、まだＵＥとＮｏｄｅ  Ｂ間の同期ができていない状況である。したがって、ＵＥの転送時点はダウンリンクのフレーム時間から計算されるから、Ｎｏｄｅ  Ｂが受信する時に同期を保障することができなくなる。しかし、初期ＲＡＣＨの転送以降に、各ＵＥに対する転送タイミング制御（ｔｉｍｉｎｇ  ｃｏｎｔｒｏｌ）が始まってから用いられる競争基盤転送モードでは、ＵＥ間に受信同期ができたといえよう。
【００２６】
既存のＷ−ＣＤＭＡシステムやＣＤＭＡシステムでは、ＵＥからＮｏｄｅ  Ｂに転送すべきシグナリングメッセージのための専用の直交コードチャンネルが存在する。一般に、ＵＥとＮｏｄｅ  Ｂ間のトラフィックが長い時間存在しないためトラフィックチャンネルが開いていない場合、ＵＥがＮｏｄｅ  Ｂに転送する緊急なシグナリングメッセージあるいは日常的なシグナリングメッセージを送るためには、トラフィックチャンネルを通じたｉｎ−ｂａｎｄ形態のシグナリングではなく他の転送チャンネルを使用しなければならないが、このような目的のために用いられる専用直交チャンネルが存在する。このような種類のシグナリングメッセージの代表が要請（ｒｅｑｕｅｓｔ）メッセージである。すなわち、ＵＥが転送すべきデータがある状況で、ＵＥの転送バッファの量が特定の水準を越えていて緊急にトラフィックチャンネルのスケジューリングを受けなければならないという必要がある旨をＮｏｄｅ  Ｂに知らせる上で、要請（ｒｅｑｕｅｓｔ）メッセージが必要とされる。
【００２７】
上述したように、ＬＴＥのアップリンク転送モードは、大きく、スケジュール転送（ｓｃｈｅｄｕｌｅｄ  ｔｒａｎｓｍｉｓｓｉｏｎ）モードと競争基盤転送（ｃｏｎｔｅｎｔｉｏｎ  ｂａｓｅｄ  ｔｒａｎｓｍｉｓｓｉｏｎ）モードの２つが存在する。直交多重化転送方式の特性の上、このような遊休状態にあるＵＥのためのシグナリングメッセージの転送のために専用のチャンネルを割り当てるのは難しい。すなわち、遊休状態にある全てのＵＥにこのようなシグナリングメッセージの転送のための専用チャンネルを割り当てると、過多なアップリンク資源の浪費につながってしまう。
【発明の開示】
【発明が解決しようとする課題】
【００２８】
本発明は上記の従来技術の制限及び不具合による一つ以上の問題点を実質的に解決するために考案されたもので、多重キャリアシステムで無線資源を割り当てる方法に関する。
【００２９】
本発明の目的は、端末の必要に応じてシグナリングメッセージを效率的に転送する通信方法を提供することにある。
【００３０】
本発明の追加的な利点、目的、及び特徴は、以下の詳細な説明によって一部展開され、一部は以下の詳細な説明から当該技術分野における通常の知識を持つ者に明らかになるか、または、発明の実施から理解されることができる。本発明の目的及び利点は、添付の図面の他、詳細な説明及び請求項を通じて詳細に指摘された構成によって得られ、具体化されることができる。
【課題を解決するための手段】
【００３１】
上記したまたはその他の利点を得るために、かつ、本発明の目的によってここに具体化され且つ概略的に説明されたように、本発明によるシグナリングメッセージの転送方法は、複数の副搬送波を用いてデータを送受信する移動通信システムの移動端末において、前記移動端末で転送するシグナリングメッセージが発生する場合、前記移動端末を区分する端末識別子によってプリアンブル（ｐｒｅａｍｂｌｅ）シーケンスを生成する段階と、前記プリアンブルシーケンス及び前記シグナリングメッセージが含まれたプリアンブル信号を基地局に転送する段階と、前記プリアンブル信号に対する、前記端末識別子によって生成される確認信号（ＡＣＫ）を受信する段階と、を含むことができる。
【００３２】
また、本発明によるシグナリングメッセージの転送方法は、複数の副搬送波を用いてデータを送受信する移動通信システムの移動端末において、前記移動端末で転送するシグナリングメッセージが発生する場合、前記移動端末を区分する端末識別子によってプリアンブルシーケンスを生成する段階と、前記プリアンブルシーケンスが含まれたプリアンブル信号を基地局に転送する段階と、前記プリアンブル信号に対する、前記端末識別子によって生成された確認信号（ＡＣＫ）を受信する段階と、前記確認信号の端末識別子に対する探知結果によって前記シグナリングメッセージを転送する段階と、を含んでなることができる。
【００３３】
また、本発明によるシグナリングメッセージの転送方法は、複数の副搬送波を用いてデータを送受信する移動通信システムの移動端末において、前記移動端末が転送すべきシグナリングメッセージが存在するか否かに関する情報を特定の第１物理チャンネルを通じて基地局に転送する段階と、前記シグナリングメッセージの転送のための資源割当情報が含まれた応答メッセージを受信する段階と、前記資源割当情報によって前記シグナリングメッセージを転送する段階と、を含んでなることができる。
【００３４】
本発明によるシグナリングメッセージの転送方法は、少なくとも一つの移動端末と複数の副搬送波を用いてデータを送受信する移動通信システムにおいて、前記移動端末を区分する端末識別子によって生成されたプリアンブルシーケンス及びシグナリングメッセージが含まれたプリアンブル信号を受信する段階と、前記受信されたプリアンブル信号の端末識別子を獲得する段階と、前記獲得した端末識別子によって、前記シグナリングメッセージに対する応答情報を含む確認信号を生成する段階と、前記確認信号を前記移動端末に転送する段階と、を含んでなることができる。
【００３５】
また、本発明によるシグナリングメッセージの転送方法は、少なくとも一つの移動端末と複数の副搬送波を用いてデータを送受信する移動通信システムにおいて、前記移動端末を区分する端末識別子によって生成されたプリアンブルシーケンスが含まれたプリアンブル信号を受信する段階と、前記受信されたプリアンブル信号の端末識別子を獲得する段階と、前記獲得した端末識別子によって、前記移動端末が転送するシグナリングメッセージに対する制御情報を含む確認信号を生成する段階と、前記確認信号を前記移動端末に転送する段階と、を含んでなる。
【００３６】
また、本発明によるシグナリングメッセージの転送方法は、少なくとも一つの移動端末と複数の副搬送波を用いてデータを送受信する移動通信システムにおいて、前記移動端末が転送すべきシグナリングメッセージが存在するか否かに関する情報を特定の第１物理チャンネルを通じて受信する段階と、前記シグナリングメッセージの転送のための資源割当情報が含まれた応答メッセージを前記移動端末に送信する段階と、前記資源割当情報によって転送される前記シグナリングメッセージを受信する段階と、を含んでなる。
【００３７】
前述した点と本発明の他の目的、特徴、様相そして長所は、添付の図面と共に以下の本発明の詳細な説明からより明確になることができる。上記の一般的な説明及び後述する本発明の詳細な説明はいずれも例示的且つ説明的なもので、特許請求の範囲に記載された発明をさらに説明するためのものである。
【発明の効果】
【００３８】
本発明は、様々な移動通信システムに適用されることができ、下記のような効果または長所を提供する。
【００３９】
まず、本発明は、複数の副搬送波を用いてデータを転送するシステムのアップリンクで遊休状態にあったＵＥが緊急なシグナリングメッセージあるいは一般的なシグナリングメッセージを転送する場合、前記シグナリングメッセージを效率的に転送できる方法を提供する。本発明によって競争基盤（Ｃｏｎｔｅｎｔｉｏｎ  ｂａｓｅｄ）モードを改善する場合、データ衝突（ｃｏｌｌｉｓｉｏｎ）の確率を低減することができる。
【００４０】
また、本発明によれば、スケジュールモードを改善する場合、ＵＥに一定の時間遅延以内にシグナリングメッセージを転送するのを保障することが可能になる。
【発明を実施するための最良の形態】
【００４１】
以下、添付の図面を参照しつつ、本発明の好適な実施例について詳細に説明する。図面中、同一の構成要素には可能な限り同一の参照番号を付する。
【００４２】
（発明の実施形態）
本発明の具体的な動作、特徴及び効果は、以下に説明される本発明の実施形態によってより具体化されることができる。
【００４３】
本発明は、データを複数の副搬送波を用いて転送するもので、複数の副搬送波間には直交性が維持される副搬送波を使用する通信方法を用いる。したがって、本発明は、ＯＦＤＭ、ＯＦＤＭＡ及びＳＣ−ＦＤＭＡなどの通信方法によって行われることができる。
【００４４】
本発明は、制御メッセージ、すなわち、シグナリングに関するメッセージを転送する方法を提案するが、本発明の実施形態によって２つの方法のシグナリング転送方法が可能である。その一つは、従来の競争基盤転送（ｃｏｎｔｅｎｔｉｏｎ  ｂａｓｅｄ  ｔｒａｎｓｍｉｓｓｉｏｎ）方法を改善してシグナリングメッセージを転送する方法である。もう一つは、従来スケジュール転送（ｓｃｈｅｄｕｌｅｄ  ｔｒａｎｓｍｉｓｓｉｏｎ）を改善してシグナリングメッセージを転送する方法である。
【実施例】
【００４５】
（第１実施例）
まず、従来の競争基盤転送を改善してシグナリングメッセージを転送する方法について説明する。
【００４６】
本発明の第１実施例は、通信初期にＮｏｄｅ  Ｂにアクセスを試みる状態ではなく、特定のトラフィックチャンネル（ｔｒａｆｆｉｃ）が設定され、ＵＥに特定のＵＥ識別子（ＵＥ  ＩＤ）が与えられた状態における通信方法に関する。ＵＥ識別子は、ＵＥを区別するために用いられる識別子である。このＵＥ識別子は、通信初期に臨時に与えられる臨時ＵＥ識別子と正式ＵＥ識別子とに区分されて使われることができる。臨時ＵＥ識別子は、通信初期に臨時に使われる識別子であり、正式ＵＥ識別子は、特定ＵＥと残りのＵＥを明らかに区別できるようにする識別子である。第１実施例は、正式ＵＥ識別子が与えられた状態における通信方法に関する。正式ＵＥ識別子は、特定ＵＥを残りのＵＥと明確に区別付ける情報であり、様々な情報がこのＵＥ識別子（ＵＥ  ＩＤ）として使われることができる。例えば、ＥＳＮ（Ｅｌｅｃｔｒｉｃａｌ  Ｓｅｒｉａｌ  Ｎｕｍｂｅｒ）のようにＵＥ自体に与えられた一連の識別番号がＵＥ識別子になることができる。他の例として、一つのＮｏｄｅ  Ｂより与えた識別番号がＵＥ識別子として使われることができる。この場合、一つのＮｏｄｅ  Ｂのカバレッジ内に位置する複数のＵＥは相異なる識別子（ＵＥ  ＩＤ）が与えられる。Ｎｏｄｅ  Ｂより与えた識別番号をＵＥ識別子とする場合、Ｎｏｄｅ  Ｂ間のハンドオーバーが発生する場合にＵＥ識別子は更新されることができる。すなわち、新しく通信が開始されるＮｏｄｅ  Ｂより新しいＵＥ識別子を与えることも可能である。さらに他の例として、複数のＮｏｄｅ  ＢからなるＮｏｄｅ  Ｂ集団より与えた識別番号がＵＥ識別子（ＵＥ  ＩＤ）として使われることができる。例えば、特定のＲＮＣ（Ｒａｄｉｏ  Ｎｅｔｗｏｒｋ  Ｃｏｎｔｒｏｌｌｅｒ）により制御される複数のＮｏｄｅ  Ｂより与えた識別番号をＵＥ識別子とすることができ、この場合、ＲＮＣ間のハンドオーバーが発生する場合、新しいＵＥ識別子が与えられることができる。
【００４７】
第１実施例によって、ＵＥはＵＥ識別子によってプリアンブルシーケンスを生成する。すなわち、特定の必要によって任意のシグナリングメッセージを転送しようとするＵＥは、自分に与えられたＵＥ識別子によってプリアンブルシーケンスを生成する。ＵＥ識別子は、特定ＵＥと他のＵＥを明確に区別付ける識別子である。したがって、ＵＥは自分に与えられたＵＥ識別子によってプリアンブルシーケンスを生成してＮｏｄｅ  Ｂに転送し、該Ｎｏｄｅ  ＢからＡＣＫを受信すると、このＡＣＫが自分が転送したプリアンブルに対するＡＣＫか否かを正確に把握できる。その結果、Ｎｏｄｅ  Ｂに対するＵＥ間の衝突（ｃｏｌｌｉｓｉｏｎ）危険が消えるという有利な効果がある。
【００４８】
第１実施例によってＵＥ識別子を用いてプリアンブルを生成し、Ｎｏｄｅ  Ｂを転送する場合、ＵＥは、２種類の方式によってシグナリングメッセージを転送することができる。その一つは、ＵＥがプリアンブルとシグナリングメッセージを共に転送する方式である。すなわち、特定の必要によってシグナリングメッセージを転送しなければならないＵＥは、プリアンブルとシグナリングメッセージを共に転送する。例えば、プリアンブルは、特定ＯＦＤＭサブフレームの最初のＯＦＤＭシンボルに含まれることができ、シグナリングメッセージは、該最初のＯＦＤＭシンボル以降のＯＦＤＭシンボルに含まれて転送されることができる。この場合、Ｎｏｄｅ  Ｂは、プリアンブルを通じて当該ＵＥに対するＵＥ識別子（ＵＥ  ＩＤ）を獲得し、該プリアンブルと共に転送されるシグナリングメッセージを受信することができる。すなわち、シグナリングメッセージはＮｏｄｅ  Ｂからのスケジューリング無しで転送される。また、このシグナリングメッセージはＮｏｄｅ  ＢからＡＣＫ信号の受信有無に関係なく転送される。
【００４９】
もう一つの方式は、ＵＥがプリアンブルを転送した後に、該プリアンブルに対するＡＣＫメッセージと一緒に転送されるスケジューリング情報を受信し、該スケジューリング情報によってシグナリングメッセージを転送することである。すなわち、シグナリングメッセージを転送しようとするＵＥは、与えられたＵＥ識別子によってプリアンブルシーケンスを生成し、該プリアンブルシーケンスをＮｏｄｅ  Ｂに転送する。このＮｏｄｅ  Ｂは当該プリアンブルを受信し、該プリアンブルに対するＡＣＫ信号を転送する。このＮｏｄｅ  Ｂはプリアンブルを通じてＵＥ識別子を獲得し、よって、ＡＣＫ信号には特定のＵＥ識別子に関する情報が含まれる。また、Ｎｏｄｅ  Ｂは、ＡＣＫ信号と一緒にシグナリングメッセージのための周波数−時間資源に関する割当情報を転送することができる。すなわち、Ｎｏｄｅ  Ｂは、プリアンブルを受信したことから、当該ＵＥが特定のシグナリングメッセージを転送しようとするということがわかるので、スケジュール転送（ｓｃｈｅｄｕｌｅｄ  ｔｒａｎｓｍｉｓｓｉｏｎ）によってシグナリングメッセージのためのアップリンク上の周波数−時間資源を割り当て、このような割当情報をＡＣＫ信号と一緒に当該ＵＥに転送することができるわけである。
【００５０】
第１実施例を用いてシグナリングメッセージを転送する場合、データ衝突の問題が解消されるという有利な効果がある。
【００５１】
（第２実施例）
以下、従来スケジュール転送（ｓｃｈｅｄｕｌｅｄ  ｔｒａｎｓｍｉｓｓｉｏｎ）を改善してシグナリングメッセージを転送する方法について説明する。
【００５２】
上記の第１実施例は、データ衝突の問題を解決するという有利な効果があるが、以下のような問題が発生する恐れがある。
【００５３】
同一アップリンク資源を用いて転送を試みるＵＥが複数個存在する場合、これら複数のＵＥの衝突は避けられず、衝突の発生時に、Ｎｏｄｅ  Ｂはそれらのうち最も受信電力の強いＵＥのみを検出することができる。Ｎｏｄｅ  Ｂは、検出されたＵＥから転送されたプリアンブル（ｐｒｅａｍｂｌｅ）に割り当てられているＵＥ  ＩＤに該当するＡＣＫを転送する。複数のＵＥは、Ｎｏｄｅ  ＢからのＡＣＫ信号を待つこととなり、もし特定時間以内に自分に来るＡＣＫが検出できないと、衝突がおきたと判断する。衝突が発生したと判断したＵＥは、プリアンブルシーケンスを再び生成して転送しなければならない。結果として、上記第１実施例は競争基盤転送を改善して用いるので、全てのＵＥに一定の時間遅延を保障することができない。すなわち、通信環境がよくないか、運の悪いＵＥは、続けてシグナリングメッセージを転送する機会が得られず、最悪な場合には自分の持っている転送バッファのオーバーフロー（ｏｖｅｒｆｌｏｗ）につながることもある。
【００５４】
したがって、上記の第１実施例を改善できる第２実施例を提案する。
【００５５】
第２実施例は、特定の物理チャンネルを通じてＵＥが現在送るべきシグナリングメッセージが存在するという事実を知らせる方法を提案する。具体的に、第２実施例は、継続してＵＥからＮｏｄｅ  Ｂに転送されるべき特定物理階層チャンネルにｎビットの信号フィールドを追加し、当該ＵＥが現在送るべきシグナリングメッセージが存在するという事実を知らせる方法を用いることができる。また、第２実施例は、特定物理階層チャンネルの特性を用いてＵＥが現在送るべきシグナリングメッセージが存在するという事実を知らせることができる。
【００５６】
上述したように、第２実施例は、特定の物理チャンネルにｎビットの信号フィールドを追加する。特定の物理チャンネルの種類に制限はないので、物理チャンネルは、呼設定（ｃａｌｌ  ｓｅｔ−ｕｐ）が行われると実際トラフィックの発生有無にかかわらずに維持される物理チャンネルのことをいう。この物理チャンネルの例に、アップリンクチャンネル品質指示チャンネル（ＣＱＩＣＨ：Ｃｈａｎｎｅｌ  Ｑｕａｌｉｔｙ  Ｉｎｄｉｃａｔｏｒ  Ｃｈａｎｎｅｌ）を用いることができる。このアップリンクＣＱＩＣＨは、Ｎｏｄｅ  Ｂのダウンリンク共有チャンネルに対するスケジューリングのためにダウンリンク側に転送されているデータが存在しなくても周期的に物理階層上でアップリンクを通じて転送されるチャンネルである
すなわち、ＣＱＩＣＨに追加的な信号フィールドを設定し、この信号フィールドを用いてＵＥが転送するシグナリングの存在を知らせることができる。
【００５７】
具体的な例を挙げると、次の通りである。ｎビットの大きさには制限がないが、大きさが小さいほど無線資源を效率的に使用できるので、ｎを１にし、１ビットの追加信号フィールドを使用することが好ましい。すなわち、１ビットのフラグ（ｆｌａｇ）を用いてＵＥ自分が転送しようとするシグナリングメッセージの存在を知らせることができる。ＵＥは、自分が送るべきシグナリングメッセージが存在する場合、フラグをあらかじめ定められた約束によってオン（ｏｎ）またはオフ（ｏｆｆ）させる。すなわち、フラグの値によって、ＵＥが転送するシグナリングメッセージが存在するか否かが決定される。すなわち、ＵＥは、特定の物理チャンネルを通じてフラグ信号を転送する。一方、Ｎｏｄｅ  Ｂは送られてきたフラグを通じて当該ＵＥが転送するシグナリングが存在するか否かを把握し、それによってスケジューリングを行い、スケジューリングの結果を当該ＵＥに転送する。ここで、当該スケジューリングの結果には特定のＵＥ識別子を含める。
【００５８】
第２実施例は、特定のビット数のデータフィールドを追加せずに、特定の物理チャンネルの特性を用いてＵＥが転送するシグナリングの存在有無を知らせることができる。
【００５９】
もし、特定物理チャンネルがノンコヒーレント（ｎｏｎ−Ｃｏｈｅｒｅｎｔ）検波による変調が適用されるチャンネルである場合、特定物理チャンネルを通じて転送される信号の極性（ｐｏｌａｒｉｔｙ）は一定となる。この場合、全体極性を一括的に変えても、元来信号の極性は定められているので、受信端で正常な検波が可能である。したがって、本実施例は、転送すべきシグナリングメッセージが存在するか否かによって、特定物理チャンネルを通じて転送される信号の極性を変えて転送する。例えば、シグナリングメッセージが存在する場合にはマイナス極性を持つ信号、シグナリングメッセージが存在しない場合にはプラス極性を持つ信号として転送できる。上記アップリンクＣＱＩＣＨの場合ノンコヒーレント（ｎｏｎ−Ｃｏｈｅｒｅｎｔ）検波による変調が適用されるチャンネルであるので、上記のように極性を切り替えてシグナリングの存在有無を知らせることができる。すなわち、Ｎｏｄｅ  Ｂは、特定の物理チャンネルを通じて受信される信号の極性を把握し、ＵＥが転送しようとするシグナリングメッセージの有無を把握する。もし、シグナリングメッセージが存在する場合、Ｎｏｄｅ  Ｂはスケジューリングを行い、シグナリングメッセージに対するアップリンク上の無線資源を割り当てることができる。ＵＥは、無線資源の割当に関する情報を受信し、該割り当てられた資源を用いてシグナリングメッセージを転送する。
【００６０】
第２実施例は、上記第１実施例に比べて、只１ビット水準の物理階層ビットのみを用いて（または、信号の極性を変換して）自分が転送するシグナリングメッセージが存在するという事実を短時間でＮｏｄｅ  Ｂに知らせることができるというメリットがある。
【００６１】
以下、第１及び第２実施例が要請メッセージ（ｒｅｑｕｅｓｔ  ｍｅｓｓａｇｅ）の転送に具体的に適用される一例について説明する。上記の１第１及び第２実施例を用いて遊休状態にあるＵＥがＮｏｄｅ  Ｂにアップリンクを通じて転送するようになるシグナリングメッセージのうち、考えられる最も重要なメッセージが上記の要請メッセージである。要請メッセージは、ＵＥがアップリンクを通じて転送するデータがある場合、転送するデータのための無線資源割当を要請するメッセージで、自分が持っているバッファ（ｂｕｆｆｅｒ）の状態（ｓｔａｔｕｓ）、現在自分が転送している転送パワー（ｔｒａｎｓｍｉｓｓｉｏｎ  ｐｏｗｅｒ）に対する余分、そして現在転送しようとするサービスのタイプなどを含む。この要請メッセージを用いて、Ｎｏｄｅ  ＢはＵＥにアップリンクを通じたパケットデータ転送のための資源を割り当てる。
【００６２】
図３Ａ乃至図３Ｃは、本発明の一例によってシグナリングメッセージを転送する方法を示すフローチャートである。以下、図３Ａ乃至図３Ｃを参照しつつ、本発明の好ましい一実施例によるシグナリングメッセージの転送方法について説明する。
【００６３】
図３Ａは、第１実施例によってＵＥがプリアンブルを転送した後、該プリアンブルに対するＡＣＫメッセージと一緒に転送されるスケジューリング情報を受信し、該スケジューリング情報によってシグナリングメッセージを転送する方法について説明している。
【００６４】
ＵＥは、ＵＥ識別子が与えられた状態にあり、現在データを転送しない遊休モード（ｉｄｌｅ  ｍｏｄｅ）にある。もし、ＵＥで転送すべきデータが発生すると、ＵＥのバッファに前記転送されるべきデータが保存されることができる（Ｓ３０１）。この場合、ＵＥは、競争基盤転送方法によって自分のＵＥ識別子（ＵＥ  ＩＤ）に基づくプリアンブルシーケンスを生成し、Ｎｏｄｅ  Ｂに転送する（Ｓ３０２）。Ｎｏｄｅ  Ｂを含む移動通信システムでは、前記プリアンブルを受信し、特定のＵＥからプリアンブルを受信したことを把握する（Ｓ３０３）。すなわち、前記ＵＥ識別子によるシグニチャー（ｓｉｇｎａｔｕｒｅ）を探知することができる。
【００６５】
プリアンブルが把握されると、該プリアンブルに対するＡＣＫ信号を転送する（Ｓ３０４）。このＡＣＫ信号にはＵＥ識別子に関する情報が含まれるので、データの衝突の危険が除去される。また、ＡＣＫ信号と一緒に、任意の要請チャンネル（ｒｅｑｕｅｓｔ  ｃｈａｎｎｅｌ）に関する資源割当情報（ｒｅｓｏｕｒｃｅ  ａｌｌｏｃａｔｉｏｎ  ｉｎｆｏｒｍａｔｉｏｎ）を転送する。要請チャンネル（ｒｅｑｕｅｓｔ  ｃｈａｎｎｅｌ）は以降に当該ＵＥに伝達されるシグナリングメッセージを伝達するために設定されるチャンネルである。
【００６６】
すなわち、ＵＥは、シグナリングメッセージを要請チャンネルを通じて転送するので、該要請チャンネルに関する資源割当情報が、ＡＣＫ信号と一緒に転送される。当該ＵＥはＡＣＫ信号及び前記要請チャンネルに関する資源割当情報を受信する（Ｓ３０５）。
【００６７】
ＵＥは受信した資源割当情報を用いて要請チャンネルを通じてシグナリングメッセージの転送を試みる（Ｓ３０６）。図３Ａの例で、シグナリングメッセージは、上述した要請メッセージ（ｒｅｑｕｅｓｔ  ｍｅｓｓａｇｅ）である。
【００６８】
この要請メッセージは、ＵＥのバッファ状態を示すバッファ状態（ｂｕｆｆｅｒ  ｓｔａｔｕｓ）情報を含むことができる。また、要請メッセージは、ＵＥが転送できる最大転送電力と現在転送する電力間の関係を示す電力余分（ｐｏｗｅｒ  ｈｅａｄｒｏｏｍ）情報を含むことができる。移動通信システムは、電力余分情報を用いて、ＵＥとＮｏｄｅ  Ｂ間の距離を推定でき、ＵＥに印加できるデータ転送レートを決定しても良い。要請メッセージは、ＵＥが転送しようとするデータの種類を示すサービスタイプ（Ｓｅｒｖｉｃｅ  ｔｙｐｅ）情報を含んでも良い。サービスタイプ情報は、転送されるデータが実時間転送を有するデータか否かなどに関する情報を含むことができる。
【００６９】
移動通信システムは、前記シグナリングメッセージ、すなわち、要請メッセージを受信し、該要請メッセージによって前記転送されるデータのためのスケジューリングを行うことができる（Ｓ３０７）。
【００７０】
シグナリングメッセージ（すなわち、要請メッセージ）によるスケジューリングの結果は任意の制御チャンネルを通じて転送されることができる（Ｓ３０８）。このスケジューリングの結果は、前記転送されるデータのために割り当てられた無線資源に関する情報であり、前記転送するデータはアップリンク共用チャンネル（ｕｐｌｉｎｋ  ｓｈａｒｅｄ  ｃｈａｎｎｅｌ）で転送される。上記のスケジューリング（Ｓ３０７）によって転送されるスケジューリングの結果は、共用チャンネル内でＵＥの区分のためにＵＥ識別子情報を含み、共用チャンネルに対する資源割当（ｒｅｓｏｕｒｃｅ  ａｌｌｏｃａｔｉｏｎ）に関する情報を含む。
【００７１】
前記スケジューリングの結果によって、当該ＵＥは移動通信システムに前記転送されるデータを転送する（Ｓ３０９）。
【００７２】
図３Ｂは、上記第１実施例によってＵＥがプリアンブルと共にシグナリングメッセージを転送する方法を説明している。ＵＥは、ＵＥ識別子が与えられており、現在データを転送しない遊休モード（ｉｄｌｅ  ｍｏｄｅ）にある。ＵＥで転送するデータが発生し、この転送されるデータがＵＥのバッファに保存されることができる（Ｓ３２１）。この場合、ＵＥは競争基盤転送方法によって自分のＵＥ識別子に基づくプリアンブルシーケンスを生成し、Ｎｏｄｅ  Ｂに転送することができる（Ｓ３２２）。
【００７３】
このプリアンブルと共に、前記転送されるデータのためのチャンネル割当を要請するシグナリングメッセージを転送する。このシグナリングメッセージには、ＵＥのバッファ状態を示すバッファ状態（ｂｕｆｆｅｒ  ｓｔａｔｕｓ）情報が含まれることができる。また、シグナリングメッセージには、ＵＥが転送できる最大転送電力と現在転送する電力間の関係を示す電力余分（ｐｏｗｅｒ  ｈｅａｄｒｏｏｍ）情報が含まれることができる。移動通信システムは、電力余分情報を用いて、ＵＥとＮｏｄｅ  Ｂ間の距離を推定でき、ＵＥに印加できるデータ転送レートを決定しても良い。また、シグナリングメッセージにはＵＥが転送しようとするデータの種類を示すサービスタイプ（Ｓｅｒｖｉｃｅ  ｔｙｐｅ）情報が含まれることができる。このサービスタイプ情報は、前記転送されるデータが実時間転送を要するデータか否かなどに関する情報を含むことができる。
【００７４】
移動通信システムは、プリアンブル及びシグナリングメッセージを受信し、当該ＵＥから転送された信号であることを探知する（Ｓ３２３）。また、移動通信システムは、前記シグナリングメッセージによって前記ＵＥが転送するデータのためのスケジューリングを行う。このスケジューリングの結果によって前記プリアンブルに対するＡＣＫ信号と前記スケジューリングの結果による資源割当（ｒｅｓｏｕｒｃｅ  ａｌｌｏｃａｔｉｏｎ）情報を転送する（Ｓ３２４）。前記ＡＣＫ信号は、前記ＵＥ識別子に関する情報を含み、データ衝突の問題を防止する。前記スケジューリングの結果は、前記転送されるデータのために割り当てられる無線資源に関する情報であり、前記転送されるデータは、アップリンク共用チャンネル（ｕｐｌｉｎｋ  ｓｈａｒｅｄ  ｃｈａｎｎｅｌ）で転送される。前記スケジューリングの結果は、共用チャンネル内でＵＥの区分のために前記ＵＥ識別子情報を含み、また、アップリンク共用チャンネルに対する資源割当に関する情報を含む。
【００７５】
前記ＵＥは、上記のＳ３２４によるＡＣＫメッセージと、資源割当情報を受信し、自分のためのメッセージであることを把握する（Ｓ３２５）。
【００７６】
前記スケジューリングの結果によってＵＥは、移動通信システムに前記転送されるデータを転送する（Ｓ３２６）。
【００７７】
図３Ｃは、チャンネル品質指示チャンネル（ＣＱＩＣＨ）に追加的な１ビットレベルの信号を用いて転送する要請メッセージ（ｒｅｑｕｅｓｔ  ｍｅｓｓａｇｅ）があることを、Ｎｏｄｅ  Ｂを含む移動通信システムに知らせ、要請メッセージが転送されうるアップリンク資源が割り当てられる過程を説明している。ＵＥで転送すべきデータが発生し、この転送されるべきデータがＵＥのバッファに保存されることができる（Ｓ３４１）。この場合、ＵＥは、ＣＱＩＣＨを通じて１ビットの追加情報を転送する（Ｓ３４２）。追加１ビットは、ＵＥが転送しようとするシグナリングメッセージが存在するか否かを示すものである。
【００７８】
Ｎｏｄｅ  Ｂを含む移動通信システムでは、ＣＱＩＣＨを通じて転送される前記１ビットの追加情報を検出する（Ｓ３４３）。もし、１ビットの追加情報を通じてＵＥが転送しようとするシグナリングメッセージが存在する場合、移動通信システムは、任意の要請チャンネル（ｒｅｑｕｅｓｔ  ｃｈａｎｎｅｌ）を通じた資源を割り当てる。すなわち、前記ＵＥが前記シグナリングメッセージを前記要請チャンネルを通じて転送するように指示する。
【００７９】
移動通信システムは、前記シグナリングメッセージの転送のための要請チャンネル上の資源割当情報（ｒｅｓｏｕｒｃｅ  ａｌｌｏｃａｔｉｏｎ  ｉｎｆｏｒｍａｔｉｏｎ）を転送する（Ｓ３４４）。この資源割当情報には、ＵＥ識別子が含まれることが好ましい。これは、資源割当情報が共用チャンネルを通じて転送される場合、前記ＵＥを識別しなければならないためである。
【００８０】
当該ＵＥは、前記資源割当情報を用いて要請チャンネルを通じてシグナリングメッセージの転送を試みる（Ｓ３４５）。図３Ｃの例で、シグナリングメッセージは、上述した要請メッセージ（ｒｅｑｕｅｓｔ  ｍｅｓｓａｇｅ）である。
【００８１】
要請メッセージには、ＵＥのバッファ状態を示すバッファ状態（ｂｕｆｆｅｒ  ｓｔａｔｕｓ）情報が含まれることができる。また、要請メッセージには、ＵＥが転送できる最大転送電力と現在転送する電力間の関係を示す電力余分（ｐｏｗｅｒ  ｈｅａｄｒｏｏｍ）情報が含まれることができる。また、要請メッセージには、ＵＥが転送しようとするデータの種類を示すサービスタイプ（Ｓｅｒｖｉｃｅ  ｔｙｐｅ）情報が含まれることができる。
【００８２】
移動通信システムは、シグナリングメッセージ、すなわち、要請メッセージを受信し、前記要請メッセージによって前記ＵＥが転送するデータのためのスケジューリングを行う（Ｓ３４６）。
【００８３】
このシグナリングメッセージによるスケジューリングの結果は、任意の制御チャンネルを通じて転送されることができる（Ｓ３４７）。前記スケジューリングの結果は、前記転送されるデータのために割り当てられた無線資源に関する情報であり、前記転送されるデータは、アップリンク共用チャンネル（ｕｐｌｉｎｋ  ｓｈａｒｅｄ  ｃｈａｎｎｅｌ）で転送される。前記スケジューリングの結果は、共用チャンネル内でＵＥの区分のためにＵＥ識別子情報を含み、また、アップリンク共用チャンネルに対する資源割当（ｒｅｓｏｕｒｃｅ  ａｌｌｏｃａｔｉｏｎ）に関する情報を含む。
【００８４】
前記スケジューリングの結果によって、前記ＵＥは移動通信システムに前記転送されるデータを転送する（Ｓ３４８）。
【００８５】
本発明は本発明の精神及び必須特徴を逸脱しない範囲内で様々な特定の形態に具体化できることは当業者には自明である。したがって、上記の詳細な説明は制限的に解析されてはいけなく、例示的なものとして考慮されなければならない。本発明の範囲は、添付の特許請求の範囲の合理的解析によって決定されなければならなく、特許請求の範囲とその等価的範囲内における変更はいずれも本発明の範囲に含まれる。
【図面の簡単な説明】
【００８６】
【図１】競争基盤転送モードとスケジュール転送モードを区分する方法を示す図である。
【図２Ａ】競争基盤転送モードとスケジュール転送モードを区分する方法を示す図である。
【図２Ｂ】競争基盤転送モードとスケジュール転送モードを区分する方法を示す図である。
【図２Ｃ】競争基盤転送モードとスケジュール転送モードを区分する方法を示す図である。
【図３Ａ】本発明の一例によってシグナリングメッセージを転送する方法を示すフローチャートである。
【図３Ｂ】本発明の一例によってシグナリングメッセージを転送する方法を示すフローチャートである。
【図３Ｃ】本発明の一例によってシグナリングメッセージを転送する方法を示すフローチャートである。
【図１】
2009526431.tif 000007
【図２Ａ】
2009526431.tif 000008
【図２Ｂ】
2009526431.tif 000009
【図２Ｃ】
2009526431.tif 000010
【図３Ａ】
2009526431.tif 000011
【図３Ｂ】
2009526431.tif 000012
【図３Ｃ】
2009526431.tif 000013
【国際調査報告】
2009526431.tif 000014
2009526431.tif 000015